(57)【要約】【課題】表示された二次元コードを読み取るだけで、現在位置情報に関連付けられている文字情報を容易に取得することができ、また、映像撮影手段のハードウェアの追加によるコストアップを防止する。【解決手段】撮影装置２０は、撮影部２１によりカーナビゲーション装置の表示部に表示されているＱＲコードを目的地で撮影してＱＲコードデコード部２２によりデコードさせて、目的地の経度・緯度の位置情報と目的地の地名、建物名などの名称情報を取得する。位置情報等一時記録部２６は、この位置情報及び名称情報を格納する。その後、目的地で撮像部２１から出力された静止画像あるいは動画像の撮像信号は、映像音声圧縮部２３を通して記録再生部２４に供給され、ここで位置情報等一時記録部２６からの位置情報及び名称情報と関連付けてハードディスク２９に記憶する。【選択図】図２
2009244239.tif 000002
【特許請求の範囲】
【請求項１】
自装置の現在位置を示す現在位置情報を取得する位置情報取得手段と、
予め位置情報と文字情報とが関連付けられて記憶されているデータベースから、前記現在位置情報に関連付けられている文字情報を取得する文字情報取得手段と、
取得した前記文字情報から二次元コードを生成する二次元コード生成手段と、
前記二次元コードを表示する表示手段と、
を有することを特徴とする位置情報表示装置。
【請求項２】
映像を撮影する映像撮影手段と、
前記映像撮影手段が二次元コードを撮影した場合、この二次元コードをデコードするデコード手段と、
前記デコード手段によりデコードした情報を前記撮影手段で撮影した前記映像と関連付けて記憶する記憶手段と、
を有することを特徴とする映像記録装置。
【請求項３】
請求項１記載の前記位置情報表示装置と、
請求項２記載の前記映像記録装置と、
からなることを特徴とする位置情報入力システム。
【発明の詳細な説明】
【技術分野】
【０００１】
本発明は位置情報表示装置、映像記録装置、及び位置情報入力システムに係り、特に取得した位置情報を表示データや撮像データと関連付けて表示、記録、及び入力する位置情報表示装置、映像記録装置、及び位置情報入力システムに関する。
【背景技術】
【０００２】
デジタルカメラやデジタルビデオカメラ等の撮像装置においては、撮影データの検索、分類やタイトル付けのために、位置情報を活用することが考えられる。例えば、通常の撮影データを検索したり分類するには、撮影時間情報を主として使用するが、時間情報のみでの検索や分類はわかりにくい。また、手動でタイトルや、検索・分類情報を付加できる撮像装置もあるが、煩雑なために自動化が望まれる。
【０００３】
そこで、従来より、ＧＰＳ(Global Positioning System:全地球測位システム)を構成するＧＰＳ衛星からの電波をＧＰＳ受信機で受信して自装置の位置情報（緯度、経度等）を取得して、その位置情報を撮像装置に取り込み、撮影データに関連付ける提案が多くなされている（例えば、特許文献１、２参照）。
【０００４】
上記特許文献１は、ＧＰＳ衛星からの電波を受信する位置情報受信手段と、近距離での端末間無線通信を行う近距離無線通信手段とを備えたデジタルカメラ等の電子機器において、位置情報受信手段による受信状態が所定の受信条件を満たしていない場合は、電子機器本体とは別の端末の位置情報（携帯電話が基地局との通信により取得した位置情報など）を近距離無線通信手段により取得するように制御する制御手段を備え、更には取得した位置情報を電子機器の画像データに関連付けて記録する手段を備えた構成の位置情報取得システム等を開示している。
【０００５】
また、上記特許文献２は、デジタルカメラから携帯端末に対して情報要求を行うと、携帯端末が利用者の入力情報とＧＰＳ衛星などから取得した位置情報とをデジタルカメラに返送し、それをデジタルカメラが受信して撮影した画像に対応付けて記録手段に記録する構成の画像撮影装置を開示している。この画像撮影装置では、デジタルカメラで撮影すると同時に、携帯端末が取得した現在の位置情報を取り出して、位置情報タグを利用して撮影画像と一緒に記録することが可能である。
【０００６】
【特許文献１】特開２００４−１２５４９０号公報
【特許文献２】特許第３５０１６９０号公報
【発明の開示】
【発明が解決しようとする課題】
【０００７】
上記のデジタルカメラ等の撮像装置を位置情報取得手段を備えた機器（ＧＰＳ受信機や携帯端末等）と連動させるためには、位置情報取得手段を撮像装置に内蔵するか、あるいは、特許文献１や特許文献２に記載されているように、撮像装置と外部の位置情報取得手段を備えた機器との間をワイヤレスで接続するという方法が考えられる。
【０００８】
しかしながら、上記の方法は、撮像装置本体のコストアップや、外部にＧＰＳ受信機能などを備えた携帯端末が必要となり、高価なシステムになるために実際には普及はしていない。また、上記の方法は、取得する位置情報が経度・緯度などの位置情報だけであるので、ユーザが分かりやすい情報とはいえず利点が少ない。これは、カーナビゲーション装置においても同様である。
【０００９】
更に、パーソナルコンピュータ（以下、パソコン）を使って撮影時間とＧＰＳ衛星から取得した位置情報との関連付けをするなどの方法は、コストもさることながらパソコンが必要なことで手軽とはいえない。
【００１０】
本発明は以上の点に鑑みなされたもので、表示された二次元コードを読み取るだけで、現在位置情報に関連付けられている文字情報を容易に取得することができる位置情報表示装置、映像記録装置、及び位置情報入力システムを提供することを目的とする。
【００１１】
また、本発明の他の目的は、映像撮影手段のハードウェアの追加によるコストアップを防止し得る位置情報表示装置、映像記録装置、及び位置情報入力システムを提供することにある。
【課題を解決するための手段】
【００１２】
上記の目的を達成するため、第１の発明の位置情報表示装置は、自装置の現在位置を示す現在位置情報を取得する位置情報取得手段と、予め位置情報と文字情報とが関連付けられて記憶されているデータベースから、現在位置情報に関連付けられている文字情報を取得する文字情報取得手段と、取得した文字情報から二次元コードを生成する二次元コード生成手段と、二次元コードを表示する表示手段と、を有することを特徴とする。
【００１３】
また、上記の目的を達成するため、第２の発明の映像記録装置は、映像を撮影する映像撮影手段と、映像撮影手段が二次元コードを撮影した場合、この二次元コードをデコードするデコード手段と、デコード手段によりデコードした情報を撮影手段で撮影した映像と関連付けて記憶する記憶手段と、を有することを特徴とする。
【００１４】
更に、上記の目的を達成するため、第３の発明の位置情報入力システムは、第１の発明の位置情報表示装置と、第２の発明の映像記録装置と、からなることを特徴とする。
【発明の効果】
【００１５】
本発明によれば、表示された二次元コードを読み取るだけで、現在位置情報に関連付けられている文字情報を容易に取得することができる。また、本発明によれば、映像撮影手段のハードウェアの追加によるコストアップを防止できる。
【発明を実施するための最良の形態】
【００１６】
次に、本発明の一実施の形態を図面と共に詳細に説明する。
【００１７】
図１は、本発明になる位置情報入力システムの一部を構成するカーナビゲーション装置の一実施の形態のブロック図、図２は、本発明になる位置情報入力システムの残りの部分を構成する撮影装置の一実施の形態のブロック図を示す。すなわち、本発明になる位置情報入力システムは、図１のブロック図のカーナビゲーション装置１０と、図２のブロック図の撮影装置２０とから構成される。
【００１８】
図１に示すカーナビゲーション装置１０は、ＧＰＳ受信機１１、ナビゲーション制御部１２、操作入力部１３、地図データ入出力部１４、地図データベース１５、ＱＲコード生成部１６、画像表示部１７、及びスピーカ１８を備える。このカーナビゲーション装置１０は、ＧＰＳ受信機１１によって位置情報を取得し、位置情報を使って内蔵または外部の地図データベース１５を参照し、地名、建物名などのより詳しい情報を取得することができる。
【００１９】
ＧＰＳ受信機１１は、人工衛星であるＧＰＳ衛星（図示せず）から送信される電波を受信して公知の方法で自装置の位置情報（緯度・経度等）を取得する。ナビゲーション制御部１２は、このナビゲーション装置１０の各部を統括的に制御する。操作入力部１３は、ユーザによって操作されて各種情報を入力する。地図データベース１５は、地図情報や地名、建物名、河川名、道路名などの様々な名称情報を予め格納している。地図データ入出力部１４は、地図データベース１５に目的地を入力して、その目的地の地図情報や名称情報を検索したり、検索した目的地の地図情報や名称情報を読み出す。
【００２０】
ＱＲコード生成部１６は、地図データベース１５から取り出した地名等の名称を示す名称情報と、ＧＰＳ受信機１１で受信して取得した位置情報とをＸＭＬ(extensible markup language)形式などで記述し、それに基づいてＱＲコードを生成（エンコード）する。このＱＲコードは、二次元コードの一種であり、縦方向と横方向の二方向に情報を持つ公知のコードであり、図２の撮影装置２０が持っている撮像の仕組みを使って容易に読み取ることができるコードである。例えば、横浜市の新子安であれば、ＱＲコード生成部１６は、図３に示すような形式で、位置情報と名称情報（以下、位置情報等ともいう）とを記述し、それをＱＲコードに変換する。図４は、その変換結果であるＱＲコードを示す。
【００２１】
再び図１に戻って説明する。画像表示部１７は、位置情報などを表示すると共に、必要に応じてＱＲコードを表示する。スピーカ１８は、現在位置の位置情報や目的地などの情報を音声で発音する。
【００２２】
図２に示す撮影装置２０は、被写体を撮像する撮影部２１、ＱＲコードデコード部２２、映像音声圧縮部２３、記録再生部２４、記録再生制御部２５、位置情報等一時記録部２６、映像音声伸張部２７、表示部２８、及びハードディスク２９を備える。
【００２３】
ＱＲコードデコード部２２は、ＱＲコードを元のＸＭＬ情報の形態に変換（デコード）する。映像音声圧縮部２３は、撮影部２１から出力された映像及び音声からなる撮影データを高能率圧縮符号化する。記録再生部２４は、映像音声圧縮部２３からの符号化信号を、位置情報等一時記録部２６からの位置情報等と後述する方法で関連付けてハードディスク２９に記録する。記録再生制御部２５は、この撮影装置２０の記録再生動作を統括的に制御する。位置情報等一時記録部２６は、ＱＲコードをデコードして得たＸＭＬ情報を一時記録する。映像音声伸張部２７は、記録再生部２４によりハードディスク２９から再生した情報を伸張して元の映像及び音声からなる撮影データに復元する。表示部２８は、復元した撮影データ等を表示する。操作入力部３０は、ユーザにより操作され、所望の情報の入力などを行う。なお、ハードディスク２９の替りに半導体メモリ等を用いてもよい。
【００２４】
次に、本実施の形態の動作について説明する。まず、カーナビゲーション装置１０の動作について図５のフローチャートを併せ参照して説明する。カーナビゲーション装置１０は、ユーザによる操作入力部１３の操作により、ユーザが移動しようとする希望の目的地が入力されると、その入力目的地をナビゲーション制御部１２に設定する（ステップＳ１）。
【００２５】
ナビゲーション制御部１２は、設定された目的地に従い、地図データ入出力部１４を介して地図データベース１５から読み出した地図情報に基づいて、現在位置から目的位置までの経路を作成して（ステップＳ２）、案内を開始する（ステップＳ３）。続いて、ナビゲーション制御部１２は、ＧＰＳ受信機１１がＧＰＳ衛星からの電波を受信して公知の方法で解析して得た現在の位置情報（緯度・経度等）を画像表示部１７に表示させる（ステップＳ４）。このとき、ナビゲーション制御部１２は、地図データ入出力部１４に格納されている地図情報のうち、都道府県、市町村、ランドマークなどの中から地名として使用するレベルを選択できる。
【００２６】
ナビゲーション制御部１２は、地図データ入出力部１４を介して地図データベース１５から地図情報の他に、地名、建物名、河川名、道路名など様々な位置に関する名称情報を読み出して取得し、それを画像表示部１７に表示させる。また、必要に応じて、ナビゲーション制御部１２は、スピーカ１８から現在位置を音声でユーザに報知する。ナビゲーション装置１０の移動中、ナビゲーション制御部１２は、上記のステップＳ４の動作を継続的に行う。
【００２７】
そして、目的地に到着すると（ステップＳ５）、ナビゲーション制御部１２は、画像表示部１７に表示させている目的地の位置情報と上記の地名、建物名、河川名、道路名など様々な位置に関する名称情報とをＱＲコード生成部１６に供給してＱＲコードを生成させる（ステップＳ６）。続いて、ナビゲーション制御部１２は、操作入力部１３からユーザの操作による指示、あるいは、このナビゲーション装置１０が搭載されている自動車のハンドブレーキを引くなどの操作をトリガーとして、ＱＲコード生成部１６が生成したＱＲコードを画像表示部１７に表示させる（ステップＳ７）。
【００２８】
次に、図２に示した撮影装置２０の動作について、図６のフローチャートを併せ参照して説明する。デジタルカメラあるいはデジタルビデオカメラである撮影装置２０は、電源投入後、撮影モードに設定される（ステップＳ１１）。続いて、撮影装置２０の記録再生制御部２５は、撮影部２１から供給される撮像信号がＱＲコードであるか否かを検出する（ステップＳ１２）。
【００２９】
目的地に到着しているときには、前述したようにカーナビゲーション装置１０の画像表示部１７には、ＱＲコードが表示されている。この画像表示部１７に表示されているＱＲコードを撮影装置２０で撮影した場合は、記録再生制御部２５は、撮影部２１から供給される撮像信号がＱＲコードであると検出し、撮影したＱＲコードをＱＲコードデコード部２２に供給してデコードさせる（ステップＳ１３）。
【００３０】
続いて、記録再生制御部２５は、ＱＲコードデコード部２２のデコード結果である位置情報等を示すＸＭＬ情報を、表示部２８に表示してユーザにこれを採用するかどうかを確認させる（ステップＳ１４）。ユーザが採用することを操作入力部３０を操作して選択した場合は、記録再生制御部２５は、上記のＸＭＬ情報の形態の位置情報等を位置情報等一時記録部２６に格納する（ステップＳ１５）。これにより、撮影装置２０に目的地（これは撮影地でもある）の位置情報等が取り込まれた状態になる。
【００３１】
続いて、撮影装置２０は自動的に通常撮影モードに戻る（ステップＳ１６）。その後、目的地で撮像部２１から出力された通常撮影モードで撮影して得られた静止画像あるいは動画像の撮像信号は、映像音声圧縮部２３に供給され、ここで高能率圧縮符号化されて符号化信号とされる（ステップＳ１７）。
【００３２】
記録再生部２４は、映像音声圧縮部２３からの符号化信号に、位置情報等一時記録部２６に一時記録されている位置情報等を関連付けてハードディスク２９に記録する（ステップＳ１８）。この関連付けの方法は、上記の符号化信号が静止画像であるか動画像であるかにより異なる。静止画像の場合は、例えば、デジタルカメラの静止画像フォーマットの規格として普及しているＥｘｉｆ（Exchangeable image file format）を利用して上記の関連付けを行う。Ｅｘｉｆは、画像ファイルの標準フォーマットであるＴＩＦＦ(Tag Image File Format)のタグ（ＴＡＧ）を利用して撮影日時、絞り、シャッタースピードなどの情報を画像ファイルに埋め込んでいる。更に、ＴＡＧを追加することで位置情報も埋め込むことができる。
【００３３】
そこで、記録再生部２４は、上記の符号化信号が静止画像である場合は、位置情報等一時記録部２６からの経度緯度情報を、Ｅｘｉｆフォーマットの情報本体であるＩＦＤ(Image File Directory)のうち、表１に示されるＧＰＳに関するＩＦＤに記述することで符号化信号に埋め込む。また、地名、建物名などは、ＴＩＦＦ Ｒｅｖ６.０で記述されるＴＡＧのうち、表２に示される画像説明のＴＡＧ（ImageDescription）に記述して符号化信号に埋め込む。
【００３４】
【表１】
2009244239.tif 000003
【００３５】
【表２】
2009244239.tif 000004
【００３６】
このようにして、記録再生部２４は、上記の符号化信号が静止画像のときは、Ｅｘｉｆフォーマットに基づいて記述された位置情報等と共に符号化信号をハードディスク２９に記録する。また、記録再生部２４は、上記の符号化信号が動画像である場合は、位置情報等一時記録部２６からの位置情報等と同じフォルダ内に格納してハードディスク２９に記録する。
【００３７】
なお、ハードディスク２９に記録された符号化信号とＸＭＬ情報の形態の位置情報等とは、ユーザが所望のときに記録再生部２４により再生され、映像音声伸張部２７に供給されて元の映像音声データに復元された後、表示部２８に供給されてＸＭＬ情報の位置情報等と共に表示される。
【００３８】
このように、本実施の形態によれば、目的地（撮影地）の位置情報だけでなく、目的地（撮影地）の地名、建物名、付近の河川名、道路名など様々な位置に関する名称情報をＱＲコードに変換し、そのＱＲコードを撮影装置２０に撮影させてデコードして得た位置情報等を、通常の撮影モードで撮影して得られる静止画像又は動画像に関連付けて記録するようにしたため、表示されたＱＲコードを読み取るだけで、位置情報、地名などが撮影画像に関連付けできる。これにより、本実施の形態によれば、撮影した静止画像又は動画像を撮影時間だけでなく、位置や地名などに基づいて容易に分類、検索することができ、撮影後に簡単に所望の映像を再生させるなどの機能をユーザに提供することができる。
【００３９】
また、本実施の形態によれば、カーナビゲーション装置１０が元々有しているＧＰＳ受信機１１を利用して位置情報を取得するようにしたため、撮影装置２０にはＧＰＳ受信機を有しない構成とすることができ、これにより撮影装置のハードウェアの追加によるコストアップを防止できる。  
なお、上記の実施の形態では、カーナビゲーション装置１０を撮影装置２０と連携するように説明したが、本発明はこれに限定されるものではなく、例えば、観光地においてパンフレットやたて看板にＱＲコードを印刷することで、カーナビゲーション装置が無い場合でも、撮影装置２０が動作する環境を作ることができる。
【００４０】
また、カーナビゲーション装置１０に限らず、ポータブルなＧＰＳ受信機、例えば、携帯電話のアプリケーションとして実装することで、コストアップなしの位置情報、地名入力システムを構成することができる。更に、本発明はＱＲコード以外の二次元コード（例えば、ＤａｔａＭａｔｒｉｘなど）も使用可能であることは勿論である。また、更に、本発明は図６に示すフローチャートの各ステップを撮影装置に実行させるプログラムも含むものである。
【図面の簡単な説明】
【００４１】
【図１】本発明の位置情報入力システムの一部を構成するカーナビゲーション装置の一実施の形態のブロック図である。
【図２】本発明の位置情報入力システムの残りの部分を構成する撮影装置の一実施の形態のブロック図である。
【図３】位置情報と地名の記述の一例を示す図である。
【図４】ＱＲコードの一例を示す図である。
【図５】図１の動作説明用フローチャートである。
【図６】図２の動作説明用フローチャートである。
【符号の説明】
【００４２】
１０  ナビゲーション装置
１１  ＧＰＳ受信機
１２  ナビゲーション制御部
１３、３０  操作入力部
１４  地図データ入出力部
１５  地図データベース
１６  ＱＲコード生成部
１７  画像表示部
２０  撮影装置
２１  撮影部
２２  ＱＲコードデコード部
２３  映像音声圧縮部
２４  記録再生部
２５  記録再生制御部
２６  位置情報等一時記録部
２７  映像音声伸張部
２８  表示部
２９  ハードディスク
【図１】
2009244239.tif 000005
【図２】
2009244239.tif 000006
【図３】
2009244239.tif 000007
【図４】
2009244239.tif 000008
【図５】
2009244239.tif 000009
【図６】
2009244239.tif 000010